(57)【要約】【課題】複数の情報を同時に表示させることができるとともに、表示領域の大型化を抑制することができるデジタル表示式測定器の提供。【解決手段】ノギスは、デジタル数字を表示させる表示手段と、表示手段を制御する制御手段とを備える。表示手段は、表示領域の略中央位置に配設される５つの単位数字部５２を備える。各単位数字部５２は、デジタル数字に対して横方向に沿って延出するとともに、横方向における両端位置を揃えた状態で、縦方向に所定の間隔で配設される７個の横セグメントＳ１，Ｓ４，Ｓ７，Ｓ１０，Ｓ１３，Ｓ１６，Ｓ１９と、縦方向に沿って延出するとともに、各横セグメントＳ１，Ｓ４，Ｓ７，Ｓ１０，Ｓ１３，Ｓ１６，Ｓ１９の左端間、及び右端間にそれぞれ配設される１２個の縦セグメントＳ２，Ｓ３，Ｓ５，Ｓ６，Ｓ８，Ｓ９，Ｓ１１，Ｓ１２，Ｓ１４，Ｓ１５，Ｓ１７，Ｓ１８とを備える。【選択図】図３
2010101733.tif 000002
【特許請求の範囲】
【請求項１】
デジタル数字を表示させる表示手段と、前記表示手段を制御する制御手段とを備えるデジタル表示式測定器であって、
前記表示手段は、
略直線状に形成される複数のセグメントで前記デジタル数字を表示させる単位数字部を備え、
前記単位数字部は、
前記デジタル数字に対して横方向に沿って延出するとともに、前記横方向における両端位置を揃えた状態で、縦方向に所定の間隔で配設される少なくとも７個の横セグメントと、
前記縦方向に沿って延出するとともに、前記各横セグメントの左端間、及び右端間にそれぞれ配設される複数の縦セグメントとを備えることを特徴とするデジタル表示式測定器。
【請求項２】
請求項１に記載のデジタル表示式測定器において、
前記表示手段は、前記横方向に沿って配列される複数の前記単位数字部を備えることを特徴とするデジタル表示式測定器。
【請求項３】
請求項１または請求項２に記載のデジタル表示式測定器において、
前記制御手段は、
前記表示手段に前記デジタル数字を表示させる位置、及び大きさの少なくともいずれか一方を制御する表示制御部を備えることを特徴とするデジタル表示式測定器。
【請求項４】
請求項１から請求項３のいずれかに記載のデジタル表示式測定器において、
前記制御手段は、
前記表示手段に分数を表示させる分数表示部を備えることを特徴とするデジタル表示式測定器。
【請求項５】
請求項１から請求項４のいずれかに記載のデジタル表示式測定器において、
前記制御手段は、
前記表示手段に少なくとも２段の前記デジタル数字を同時に表示させる多段表示部を備えることを特徴とするデジタル表示式測定器。
【発明の詳細な説明】
【技術分野】
【０００１】
本発明は、デジタル表示式測定器に関する。
【背景技術】
【０００２】
従来、デジタル数字を表示させる表示手段と、表示手段を制御する制御手段とを備えるデジタル表示式測定器が知られている（例えば、特許文献１参照）。
特許文献１に記載のノギス（デジタル表示式測定器）は、センサモジュールと、本尺とを有し、センサモジュールは、位置センサと、位置センサの出力信号を処理して測定値を出力する信号処理回路（制御手段）と、信号処理回路が出力する測定値を表示する表示器（表示手段）とを備えている。
また、特許文献１に記載のノギスでは、表示器は、略直線状に形成される７個のセグメントで構成される表示セグメント、すなわち７セグメントディスプレイ（以下、単位セグメントとする）をデジタル数字に対して横方向に沿って複数配設する構成を有している。
【０００３】
しかしながら、このような構成によると、表示器は、１つの情報（例えば、測定値）しか表示することができないので、他の情報（例えば、単位系を変更した測定値）を表示させる場合には、例えば、ボタン操作等によって表示する情報を切り替えなければならず、手間がかかるという問題がある。
これに対して、特許文献２に記載のノギスでは、表示部（表示手段）は、複数の表示欄を有している。そして、各表示欄には、それぞれ異なる複数の情報を表示させることができるので、ボタン操作等をすることなく複数の情報を同時に表示させることができる。
【０００４】
【特許文献１】特開２００２−２０２１１９号公報
【特許文献２】特開平９−１３３５０２号公報
【発明の開示】
【発明が解決しようとする課題】
【０００５】
しかしながら、このような構成によると、表示部における表示領域が大きくなり、ひいてはデジタル表示式測定器が大型化するという問題がある。この問題は、ノギスのような小型のデジタル表示式測定器では致命的である。
【０００６】
本発明の目的は、複数の情報を同時に表示させることができるとともに、表示領域の大型化を抑制することができるデジタル表示式測定器を提供することにある。
【課題を解決するための手段】
【０００７】
本発明のデジタル表示式測定器は、デジタル数字を表示させる表示手段と、前記表示手段を制御する制御手段とを備えるデジタル表示式測定器であって、前記表示手段は、略直線状に形成される複数のセグメントで前記デジタル数字を表示させる単位数字部を備え、前記単位数字部は、前記デジタル数字に対して横方向に沿って延出するとともに、前記横方向における両端位置を揃えた状態で、縦方向に所定の間隔で配設される少なくとも７個の横セグメントと、前記縦方向に沿って延出するとともに、前記各横セグメントの左端間、及び右端間にそれぞれ配設される複数の縦セグメントとを備えることを特徴とする。
【０００８】
このような構成によれば、単位数字部は、少なくとも７個の横セグメントと、複数の縦セグメントとを備えているので、少なくとも３個の単位セグメントを重ね合わせた構成となる。具体的に、例えば、７個の横セグメントで単位数字部を構成した場合には、単位数字部は、７個の横セグメントと、１２個の縦セグメントとを備えた合計１９個のセグメントで構成され、上方側の７個のセグメント（以下、上方側単位セグメントとする）、中間の７個のセグメント（以下、中間単位セグメントとする）、及び下方側の７個のセグメント（以下、下方側単位セグメントとする）の３個の単位セグメントを縦方向に接続した構成となる。
【０００９】
したがって、単位数字部は、例えば、上方側単位セグメント、及び下方側単位セグメントにて複数の情報を同時に表示させることができる。
また、単位数字部では、上方側単位セグメントにおける下端の横セグメントと、中間単位セグメントにおける上端の横セグメントとは共通の横セグメントで構成され、中間単位セグメントにおける下端の横セグメントと、下方側単位セグメントにおける上端の横セグメントとは共通の横セグメントで構成されている。したがって、３個の単位セグメントを単に縦方向に並べて配設した場合と比較して表示領域の大型化を抑制することができる。
さらに、単位数字部は、３個の単位セグメントを重ね合わせた構成となるので、単位数字部にデジタル数字を表示させる位置や、大きさ等を変更したり、分数等の特殊な表示形式で情報を表示させたりすることができる。
【００１０】
本発明では、前記表示手段は、前記横方向に沿って配列される複数の前記単位数字部を備えることが好ましい。
このような構成によれば、表示手段は、複数の単位数字部を備えるので、１つの単位数字部を備える場合と比較して、表示させる情報量を増加させることができる。
【００１１】
本発明では、前記制御手段は、前記表示手段に前記デジタル数字を表示させる位置、及び大きさの少なくともいずれか一方を制御する表示制御部を備えることが好ましい。
【００１２】
このような構成によれば、制御手段は、表示制御部を備えるので、例えば、使用者によるデジタル表示式測定器の設定に応じて、任意の位置に測定値を表示したり、全てのセグメント全体で測定値を表示させる拡大表示をしたりすることができる。
【００１３】
本発明では、前記制御手段は、前記表示手段に分数を表示させる分数表示部を備えることが好ましい。
【００１４】
このような構成によれば、制御手段は、分数表示部を備えるので、例えば、使用者によるデジタル表示式測定器の設定に応じて、測定値を分数で表示させることができる。なお、表示手段に分数を表示させるには、例えば、７個の横セグメントで単位数字部を構成した場合には、上方側単位セグメントにて分子を表示させ、下方側単位セグメントにて分母を表示させ、中間単位セグメントにて括線を表示させることで表示させることができる。
【００１５】
本発明では、前記制御手段は、前記表示手段に少なくとも２段の前記デジタル数字を同時に表示させる多段表示部を備えることが好ましい。
【００１６】
このような構成によれば、制御手段は、多段表示部を備えるので、例えば、７個の横セグメントで単位数字部を構成した場合には、使用者によるデジタル表示式測定器の設定に応じて、上方側単位セグメントにて所定の単位系による測定値を表示させ、下方側単位セグメントにて上方側単位セグメントにて表示させた単位系と異なる単位系による測定値を表示させることができる。
【発明を実施するための最良の形態】
【００１７】
以下、本発明の実施形態を図面に基づいて説明する。
〔ノギスの概略構成〕
図１は、本発明の実施形態に係るノギス１の正面図である。
デジタル表示式測定器としてのノギス１は、図１に示すように、略矩形板状に形成される本尺２と、本尺２の長手方向に沿って移動可能に設けられるスライダ３と、スライダ３の本尺２に対する変位量を検出するエンコーダ４と、スライダ３に設けられ、エンコーダ４にて検出される変位量などの情報をデジタル表示する表示手段５と、スライダ３に設けられ、表示手段５を制御する制御手段６とを備える。
【００１８】
本尺２は、長手方向の一端（図１中左端）に設けられた外側測定ジョー２１、及び内側測定ジョー２２を備える。
スライダ３は、本尺２の外側測定ジョー２１、及び内側測定ジョー２２に対向して設けられ、外側測定ジョー２１、及び内側測定ジョー２２とともに被測定物に当接させる外側測定ジョー３１、及び内側測定ジョー３２を備える。また、スライダ３には、表示手段５の周辺位置に複数の操作ボタン３３が設けられている。
エンコーダ４は、本尺２の長手方向に沿って設けられる電磁誘導式のスケール４１と、スライダ３に設けられ、スケール４１と協働してスライダ３の本尺２に対する変位量を検出する検出部４２とを備える。
【００１９】
図２は、表示手段５の詳細構成を示す拡大図である。
表示手段５は、図２に示すように、複数のセグメントで構成され、デジタル数字を表示させるものであり、表示領域の一端（図２中左側）に配設される符号表示部５１と、表示領域の略中央位置に配設される５つの単位数字部５２と、各単位数字部５２の間にそれぞれ配設されるドット表示部５３とを備える。
【００２０】
符号表示部５１は、プラス、またはマイナスの符号を表示するものであり、デジタル数字に対して横方向（図２中左右方向）に延出する１つのセグメント５１１と、セグメント５１１の略中央位置からデジタル数字に対して上方向、及び下方向（図２中上方向、及び下方向）に向かって延出する２つのセグメント５１２とを備える。そして、符号表示部は、制御手段６による制御の下、プラスの符号を表示する場合には、セグメント５１１，５１２を点灯させ、マイナスの符号を表示する場合には、セグメント５１１のみを点灯させる。
【００２１】
図３は、単位数字部５２の詳細構成を示す拡大図である。
各単位数字部５２は、図３に示すように、デジタル数字に対して横方向に沿って配列され、デジタル数字を表示させるものである。具体的に、単位数字部５２は、略直線状に形成される１９個のセグメントＳ１〜Ｓ１９で構成され、デジタル数字に対して横方向に沿って延出するとともに、横方向における両端位置を揃えた状態で、縦方向に所定の間隔で配設される７個の横セグメントＳ１，Ｓ４，Ｓ７，Ｓ１０，Ｓ１３，Ｓ１６，Ｓ１９と、縦方向に沿って延出するとともに、各横セグメントＳ１，Ｓ４，Ｓ７，Ｓ１０，Ｓ１３，Ｓ１６，Ｓ１９の左端間、及び右端間にそれぞれ配設される１２個の縦セグメントＳ２，Ｓ３，Ｓ５，Ｓ６，Ｓ８，Ｓ９，Ｓ１１，Ｓ１２，Ｓ１４，Ｓ１５，Ｓ１７，Ｓ１８とを備える。
【００２２】
また、単位数字部５２は、上方側の７個のセグメントＳ１〜Ｓ７で構成される上方側単位セグメントＵ１、中間の７個のセグメントＳ７〜Ｓ１３で構成される中間単位セグメントＵ２、及び下方側の７個のセグメントＳ１３〜Ｓ１９で構成される下方側単位セグメントＵ３にてそれぞれデジタル数字を表示させることができる。
ドット表示部５３は、例えば、測定値における小数点などの情報を表示するものであり、図２、及び図３に示すように、各単位数字部５２における横セグメントＳ７，Ｓ１３，Ｓ１９の間にそれぞれ配設されている。
【００２３】
図４は、ノギス１の概略構成を示すブロック図である。
制御手段６は、ＣＰＵ（Central Processing Unit）や、メモリ等で構成され、例えば、検出部４２にて検出されるスライダ３の本尺２に対する変位量を取得し、取得した変位量を測定値として表示手段５に表示させるものである。この制御手段６は、図４に示すように、表示手段５にデジタル数字を表示させる位置、及び大きさを制御する表示制御部６１と、表示手段５に分数を表示させる分数表示部６２と、表示手段５に２段のデジタル数字を同時に表示させる多段表示部としての二段表示部６３と、表示手段５に時刻情報を表示させる時計表示部６４とを備える。
【００２４】
また、表示制御部６１、分数表示部６２、二段表示部６３、及び時計表示部６４の動作は、表示設定によって切り替えられ、表示設定は、操作ボタン３３（図１参照）が使用者によって操作されることで切り替えられる。以下、各表示設定における表示手段５の表示例について説明する。なお、分数表示部６２にて分数を表示させる表示設定を分数表示とし、二段表示部６３にて２段のデジタル数字を同時に表示させる表示設定を二段表示とし、時計表示部６４にて時刻情報を表示させる表示設定を時計表示とする。
【００２５】
〔表示手段の表示例〕
図５は、表示制御部６１にて表示手段５にデジタル数字を表示させる位置を制御した場合の表示例を示す図である。
使用者によって表示設定が切り替えられ、表示手段５にデジタル数字、例えば、測定値を表示させる位置が変更されると、表示制御部６１は、図５に示すように、表示手段５に測定値を表示させる位置を変更する。
具体的に、図５では、表示制御部６１は、上方側単位セグメントＵ１、中間単位セグメントＵ２、及び下方側単位セグメントＵ３を制御することで、表示手段５に測定値を表示させる位置を表示領域の上方側（図５（Ａ））、中間位置（図５（Ｂ））、及び下方側（図５（Ｃ））に変更している。なお、表示制御部６１は、表示手段５に表示させる測定値等の情報に応じて符号表示部５１、及びドット表示部５３を制御する。分数表示部６２、二段表示部６３においても同様である。
【００２６】
図６、及び図７は、表示制御部６１にて表示手段５にデジタル数字を表示させる大きさを制御した場合の表示例を示す図である。
使用者によって表示設定が切り替えられ、表示手段５にデジタル数字を表示させる大きさが変更されると、表示制御部６１は、図６、及び図７に示すように、表示手段５に測定値を表示させる大きさを変更する。
【００２７】
具体的に、図６（Ａ）では、表示制御部６１は、下方側単位セグメントＵ３を制御することで、表示手段５に最小のデジタル数字（以下、このデジタル数字の大きさを等倍とする）を表示させている。図６（Ｂ）では、表示制御部６１は、中間単位セグメントＵ２、及び下方側単位セグメントＵ３を制御することで、２倍のデジタル数字を表示させている。図６（Ｃ）では、単位数字部５２全体を制御することで、３倍のデジタル数字を表示させている。
また、図７では、表示制御部６１は、中間単位セグメントＵ２、及び下方側単位セグメントＵ３を制御することで、整数部を２倍のデジタル数字とし、小数部を等倍のデジタル数字として表示させ（図７（Ａ））、整数部を等倍のデジタル数字とし、小数部を２倍のデジタル数字として表示させている（図７（Ｂ））。
【００２８】
図８は、分数表示部６２にて表示手段５に分数表示させた場合の表示例を示す図である。
使用者によって表示設定が分数表示に切り替えられると、分数表示部６２は、図８に示すように、表示手段５に分数を表示させる。
具体的に、図８（Ａ），（Ｂ）では、分数表示部６２は、上方側単位セグメントＵ１を制御することで分子を表示させ、下方側単位セグメントＵ３を制御することで分母を表示させ、中間単位セグメントＵ２を制御することで括線、及び整数部を表示させて分数を表示させている。
また、図８（Ｃ）では、分数表示部６２は、上方側単位セグメントＵ１を制御することで分子を表示させ、下方側単位セグメントＵ３を制御することで分母を表示させ、表示手段５全体を制御することで斜めに延出する括線を表示させて分数を表示させている。
【００２９】
図９、及び図１０は、二段表示部６３にて二段表示させた場合の表示例を示す図である。
使用者によって表示設定が二段表示に切り替えられると、二段表示部６３は、図９、及び図１０に示すように、上方側単位セグメントＵ１と、下方側単位セグメントＵ３とでデジタル数字を同時に表示させる。
【００３０】
具体的に、図９（Ａ）では、二段表示部６３は、上方側単位セグメントＵ１を制御することで予め記憶されている被測定物の設計値と、測定値との偏差を表示させ、下方側単位セグメントＵ３を制御することで測定値を表示させている。図９（Ｂ）では、二段表示部６３は、上方側単位セグメントＵ１を制御することでミリ単位系の測定値を表示させ、下方側単位セグメントＵ３を制御することでインチ単位系の測定値を表示させている。図９（Ｃ）では、二段表示部６３は、上方側単位セグメントＵ１を制御することで測定回数を表示させ、下方側単位セグメントＵ３を制御することで測定値を表示させている。図９（Ｄ）では、二段表示部６３は、上方側単位セグメントＵ１を制御することでプリセット番号を表示させ、下方側単位セグメントＵ３を制御することでプリセット値を表示させている。図１０（Ａ），（Ｂ）では、二段表示部６３は、上方側単位セグメントＵ１を制御することで整数部を表示させ、下方側単位セグメントＵ３を制御することで小数部を表示させている。
【００３１】
図１１は、時計表示部６４にて表示手段５に時計表示させた場合の表示例を示す図である。
使用者によって表示設定が時計表示に切り替えられると、時計表示部６４は、図１１に示すように、時刻情報を表示させる。
具体的に、図１１では、時計表示部６４は、単位数字部５２の上方側単位セグメントＵ１における下方側の４個のセグメントＳ４〜Ｓ７と、中間単位セグメントＵ２と、下方側単位セグメントＵ３における上方側の４個のセグメントＳ１３〜Ｓ１６と、ドット表示部５３とを制御することで時刻情報を表示させている。
【００３２】
このような本実施形態によれば以下の効果がある。
（１）単位数字部５２は、上方側単位セグメントＵ１、中間単位セグメントＵ２、及び下方側単位セグメントＵ３の３個の単位セグメントを縦方向に接続した構成となるので、複数の情報を同時に表示させることができる。
（２）単位数字部５２では、上方側単位セグメントＵ１における下端の横セグメントと、中間単位セグメントＵ２における上端の横セグメントとは共通の横セグメントＳ７で構成され、中間単位セグメントＵ２における下端の横セグメントと、下方側単位セグメントＵ３における上端の横セグメントとは共通の横セグメントＳ１３で構成されている。したがって、３つの単位セグメントを単に縦方向に並べて配設した場合と比較して表示領域の大型化を抑制することができる。
【００３３】
（３）表示手段５は、デジタル数字に対して横方向に沿って配列される複数の単位数字部５２を備えるので、１つの単位数字部を備える場合と比較して、表示させる情報量を増加させることができる。
（４）制御手段６は、表示制御部６１を備えるので、例えば、使用者による表示設定に応じて、任意の位置に測定値を表示したり、単位数字部５２全体で測定値を表示させる拡大表示をしたりすることができる。
（５）制御手段６は、分数表示部６２を備えるので、例えば、使用者による表示設定に応じて、測定値を分数で表示させることができる。
【００３４】
（６）制御手段６は、二段表示部６３を備えるので、例えば、使用者による表示設定に応じて、上方側単位セグメントＵ１にて所定の単位系による測定値を表示させ、下方側単位セグメントＵ３にて上方側単位セグメントＵ１にて表示させた単位系と異なる単位系による測定値を表示させることができる。また、例えば、上方側単位セグメントＵ１にて整数部を表示させ、下方側単位セグメントＵ３にて小数部を表示させることによって、１つの単位セグメントにて整数部、及び小数部を表示させた場合と比較して表示桁数を増加させることができる。
【００３５】
〔実施形態の変形〕
なお、本発明は前記実施形態に限定されるものではなく、本発明の目的を達成できる範囲での変形、改良等は本発明に含まれるものである。
例えば、前記実施形態では、単位数字部５２は、７個の横セグメントを備えていたが、単位数字部は、少なくとも７個の横セグメントを備えていればよい。
前記実施形態では、表示手段５は、表示領域の略中央位置に配設される５つの単位数字部５２を備えていたが、少なくとも１つの単位数字部を備えていればよい。
前記実施形態では、表示制御部６１は、表示手段５にデジタル数字を表示させる位置、及び大きさを制御していたが、位置、及び大きさの少なくともいずれか一方を制御するように構成されていればよい。
【００３６】
前記実施形態では、単位数字部５２は、上方側単位セグメントＵ１、中間単位セグメントＵ２、及び下方側単位セグメントＵ３にてそれぞれデジタル数字を表示させていた。これに対して、例えば、単位数字部は、上方側単位セグメントにおける下方側の４個のセグメント、及び中間単位セグメントにおける上方側の４個のセグメントで構成される合計７個のセグメントと、中間単位セグメントにおける下方側の４個のセグメント、及び下方側単位セグメントにおける上方側の４個のセグメントで構成される合計７個のセグメントにてそれぞれデジタル数字を表示させてもよい。要するに、単位数字部にデジタル数字をどのように表示させるかは設計者の自由である。
【００３７】
前記実施形態では、制御手段６は、表示手段５に２段のデジタル数字を同時に表示させる二段表示部６３を備えていた。これに対して、制御手段は、表示手段に３段以上のデジタル数字を同時に表示させる多段表示部を備えていてもよい。なお、この場合には、同時に表示させるデジタル数字の段数に応じて単位数字部における横セグメントの数を増加させればよい。
前記実施形態では、制御手段６は、表示制御部６１、分数表示部６２、二段表示部６３、及び時計表示部６４を備え、表示手段５に多様な表示をさせていたが、表示手段５にどのような表示をさせるかは設計者の自由である。
前記実施形態では、デジタル表示式測定器としてノギス１を例示したが、他のデジタル表示式測定器に本発明を適用してもよい。
【産業上の利用可能性】
【００３８】
本発明は、デジタル表示式測定器に利用でき、特に、小型のデジタル表示式測定器に好適に利用することができる。
【図面の簡単な説明】
【００３９】
【図１】本発明の実施形態に係るノギスの正面図。
【図２】前記実施形態における表示手段の詳細構成を示す拡大図。
【図３】前記実施形態における単位数字部の詳細構成を示す拡大図。
【図４】前記実施形態におけるノギスの概略構成を示すブロック図。
【図５】前記実施形態における表示制御部にて表示手段にデジタル数字を表示させる位置を制御した場合の表示例を示す図。
【図６】前記実施形態における表示制御部にて表示手段にデジタル数字を表示させる大きさを制御した場合の表示例を示す図。
【図７】前記実施形態における表示制御部にて表示手段にデジタル数字を表示させる大きさを制御した場合の表示例を示す図。
【図８】前記実施形態における分数表示部にて表示手段に分数表示させた場合の表示例を示す図。
【図９】前記実施形態における二段表示部にて二段表示させた場合の表示例を示す図
【図１０】前記実施形態における二段表示部にて二段表示させた場合の表示例を示す図。
【図１１】前記実施形態における時計表示部にて表示手段に時計表示させた場合の表示例を示す図。
【符号の説明】
【００４０】
１…ノギス（デジタル表示式測定器）
５…表示手段
６…制御手段
５２…単位数字部
６１…表示制御部
６２…分数表示部
６３…二段表示部
Ｓ１，Ｓ４，Ｓ７，Ｓ１０，Ｓ１３，Ｓ１６，Ｓ１９…横セグメント
Ｓ２，Ｓ３，Ｓ５，Ｓ６，Ｓ８，Ｓ９，Ｓ１１，Ｓ１２，Ｓ１４，Ｓ１５，Ｓ１７，Ｓ１８…縦セグメント。
【図１】
2010101733.tif 000003
【図２】
2010101733.tif 000004
【図３】
2010101733.tif 000005
【図４】
2010101733.tif 000006
【図５】
2010101733.tif 000007
【図６】
2010101733.tif 000008
【図７】
2010101733.tif 000009
【図８】
2010101733.tif 000010
【図９】
2010101733.tif 000011
【図１０】
2010101733.tif 000012
【図１１】
2010101733.tif 000013